(57)【特許請求の範囲】
【請求項１】
底板の左右辺に、それぞれ斜め板と縦板とを折り目線を介して順に連設し、この縦板の上辺に、表示板体の厚さに等しい幅の縦長切欠きを設け、底板と斜め板とを三角形筒状に形成した自立用脚体であって、表示板体の下辺に、２個以上の前記自立用脚体における各々２枚の対向する縦板の縦長切欠きを嵌合して装着したことを特徴とする自立表示板。
【請求項２】
請求項１に記載の自立表示板において、表示板体下辺の２個所以上に、各々自立用脚体の２枚の縦板の合計厚さに等しい幅の縦長切欠きを設け、この表示板体下辺の縦長切欠きに、２個以上の自立用脚体を各々２枚の縦板の縦長切欠きを互いに嵌合して装着したことを特徴とする自立表示板。
【発明の詳細な説明】
【０００１】
【発明の属する技術分野】
本発明は、商品の価格表示やキャンペーン表示や特約店表示などの、多様な寸法形状の自立表示板であって、板紙製や段ボール紙製やプラスチックボード製などの、設置する場所の部分的な凹凸や傾斜などに対応して、安定して設置することができる自立表示板に関する。
【０００２】
【従来の技術】
従来から、商品の価格表示やキャンペーン表示や特約店表示などの、例えば図５Ａに示すような、単に台形状などの縦板４の上辺に、表示板体２０の厚さに等しい幅の縦長切欠きａを設けた自立用脚体４０であって、長方形状などの表示板体２０の下辺に、前記の２個の自立用脚体４０、４０を、それぞれ縦板４の縦長切欠きａを嵌合して装着した、板紙製や段ボール紙製やプラスチックボード製などの、多様な寸法形状の自立表示板が、一般に広く用いられている。
【０００３】
また従来から、商品の価格表示やキャンペーン表示や特約店表示などの、例えば図５Ｂに示すような、横長長方形状の底板２の左右辺に、台形状などの縦板４、４を折り目線を介して連設して、この縦板４、４の上辺に、表示板体２０の厚さに等しい幅の縦長切欠きａ、ａを設けた自立用脚体５０であって、長方形状などの表示板体２０の下辺に、前記の自立用脚体５０を、縦板４、４の縦長切欠きａ、ａを嵌合して装着した、板紙製や段ボール紙製やプラスチックボード製などの、多様な寸法形状の自立表示板が用いられている。
【０００４】
【発明が解決しようとする課題】
ところが従来の、図５Ａに示す自立表示板については、長方形状などの多様な寸法形状の表示板体２０の下辺に、単に台形状などの縦板４の上辺に、表示板体２０の厚さに等しい幅の縦長切欠きａを設けた、構造が簡単な２個の自立用脚体４０、４０を、それぞれ縦板４の縦長切欠きａを嵌合して装着した、最も一般的な自立表示板であるものの、自立用脚体４０、４０の下端が板線状( 縦板４、４の下辺 )であるために、商品の価格表示やキャンペーン表示などの自立表示板の下端が、陳列した商品の隙間などに落込んでしまうなどの、設置する場所が平坦でない場合に、自立表示板を安定して設置できないことが問題であった。
【０００５】
また従来の、図５Ｂに示す自立表示板については、長方形状などの多様な寸法形状の表示板体２０の下辺に、横長長方形状の底板２の左右辺に、折り目線を介して連設した台形状などの縦板４、４の上辺に、表示板体２０の厚さに等しい幅の縦長切欠きａ、ａを設けた、下端が平面状の自立用脚体５０を、縦板４、４の縦長切欠きａ、ａを嵌合して装着した、陳列した商品の隙間などに落込む恐れがない自立表示板であるものの、自立用脚体５０の底板２が横長長方形状であるために、商品のキャンペーン表示や特約店表示などの自立表示板の、設置する場所の部分的な凹凸や傾斜などがそのまま影響して、自立表示板を安定して設置できないことが問題であった。
【０００６】
そこで、本発明の目的は、商品の価格表示やキャンペーン表示や特約店表示などの、多様な寸法形状の自立表示板であって、板紙製や段ボール紙製やプラスチックボード製などの、設置する場所の部分的な凹凸や傾斜などに対応して、安定して設置することができる、しかも表示板体２０の下辺に２個以上の自立用脚体３０、３０、…を、強固で確実に装着することができる自立表示板を提供することにある。
【０００７】
【課題を解決するための手段】
本発明の請求項１に係る発明は、底板の左右辺に、それぞれ斜め板と縦板とを折り目線を介して順に連設し、この縦板の上辺に、表示板体の厚さに等しい幅の縦長切欠きを設け、底板と斜め板とを三角形筒状に形成した自立用脚体であって、表示板体の下辺に、２個以上の前記自立用脚体における各々２枚の対向する縦板の縦長切欠きを嵌合して装着したことを特徴とする自立表示板である。
【０００８】
次に、本発明の請求項２に係る発明は、上記請求項１に係る自立表示板において、表示板体下辺の２個所以上に、各々自立用脚体の２枚の縦板の合計厚さに等しい幅の縦長切欠きを設け、この表示板体下辺の縦長切欠きに、２個以上の自立用脚体を各々２枚の縦板の縦長切欠きを互いに嵌合して装着したことを特徴とする自立表示板である。
【０００９】
【発明の実施の形態】
図１Ａは、本発明の実施の形態における、自立表示板の斜視図であって、図１Ｂ、Ｃは、自立表示板の自立用脚体３０の展開平面図、斜視図である。
また図２Ａ、Ｂは、本発明の実施の形態における、自立表示板を安定して設置した状態を示す断面説明図である。
【００１０】
本発明の請求項１に係る自立表示板は、図１に示すように、長方形状の底板２の左右辺( 図１Ｂでは前後辺 )に、それぞれ台形状など( 図１Ｂ、Ｃでは台形状 )の斜め板３、３と縦板４、４とを、折り目線ｃ、ｃ、ｄ、ｄを介して順に連設して、この縦板４、４の上辺に、表示板体２０の厚さに等しい幅の縦長切欠きａ、ａを設けて、底板２と斜め板３、３とを三角形筒状に形成した自立用脚体３０であって、長方形状など( 図１Ａでは長方形状 )の表示板体２０の下辺に、前記の２個以上( 図１Ａでは２個 )の自立用脚体３０、３０、…を、それぞれ２枚の縦板４、４の縦長切欠きａ、ａを嵌合して装着した自立表示板である。
【００１１】
請求項１に係る自立表示板においては、長方形状などの多様な寸法形状の表示板体２０の下辺に、長方形状の底板２の左右辺に、それぞれ台形状などの斜め板３、３と縦板４、４とを、折り目線ｃ、ｃ、ｄ、ｄを介して順に連設して、この縦板４、４の上辺に、表示板体２０の厚さに等しい幅の縦長切欠きａ、ａを設けて、底板２と斜め板３、３とを三角形筒状に形成した、図１Ｃに示す２個以上の自立用脚体３０、３０、…を、それぞれ２枚の縦板４、４の縦長切欠きａ、ａを嵌合して装着したことによって、自立用脚体３０の、底板２が適度の広さの長方形状であるために、設置する場所の部分的な凹凸などに、図２Ａに示すように、底板２を避けて対応することができる、また自立用脚体３０の、三角形筒状に形成した底板２、斜め板３、３と縦板４、４との間の折り目線ｄ、ｄが角度可変であるために、設置する場所の部分的な傾斜などに、図２Ｂに示すように、三角形筒状に形成した部分を傾斜させて対応することができる、商品の価格表示やキャンペーン表示や特約店表示などの、多様な寸法形状の自立表示板を、設置する場所の部分的な凹凸や傾斜などに対応して、安定して設置することができる。
【００１２】
しかも、長方形状などの表示板体２０の下辺に、前述した２個以上の自立用脚体３０、３０、…を、それぞれ２枚の縦板４、４の、表示板体２０の厚さに等しい幅の縦長切欠きａ、ａを嵌合したことによって、表示板体２０の下辺に２個以上の自立用脚体３０、３０、…を、強固で確実に装着することができる。
【００１３】
請求項２に係る自立表示板は、前述した図１に示す自立表示板において、図３に示すように、長方形状など( 図３では長方形状 )の表示板体２０の下辺の２個所以上( 図３では２個所 )に、自立用脚体３０の縦板４、４の合計厚さに等しい幅の縦長切欠きｂ、ｂ、…を設けて、この長方形状などの表示板体２０の下辺の縦長切欠きｂ、ｂ、…に、前述した図１Ｃに示す２個以上( 図３では２個 )の自立用脚体３０、３０、…を、それぞれ２枚の縦板４、４の縦長切欠きａ、ａを互いに嵌合して装着した自立表示板である。
【００１４】
請求項２に係る自立表示板においては、長方形状などの多様な寸法形状の表示板体２０の下辺の、２個所以上に設けた、自立用脚体３０の縦板４、４の合計厚さに等しい幅の縦長切欠きｂ、ｂ、…に、前述した２個以上の自立用脚体３０、３０、…を、それぞれ２枚の縦板４、４の、表示板体２０の厚さに等しい幅の縦長切欠きａ、ａを互いに嵌合したことによって、前述した多様な寸法形状の自立表示板を、設置する場所の部分的な凹凸や傾斜などに対応して、安定して設置することができる上に、表示板体２０の下辺に２個以上の自立用脚体３０、３０、…を、より強固で確実に装着することができる。
【００１５】
本発明の実施の形態における、自立表示板は、長方形状の１５×６ｃｍの底板２の左右辺( 図１Ｂでは前後辺 )に、それぞれ台形状の１３×５ｃｍの斜め板３、３と１０×７ｃｍの縦板４、４とを、折り目線ｃ、ｃ、ｄ、ｄを介して順に連設して、この縦板４、４の上辺に、Ａ段ボール紙製の表示板体２０の厚さに等しい４．８ｍｍ幅の、長さ４ｃｍの縦長切欠きａ、ａを設けて、折り目線ｃ、ｃを山折りして折り目線ｄ、ｄを谷折りして、底板２と斜め板３、３とを三角形筒状に形成した、図１Ｃに示すＢ段ボール紙製の自立用脚体３０であって、長方形状の６０×９０ｃｍの、図１Ａに示す美麗な印刷をしたＡ段ボール紙製の表示板体２０の下辺に、前述した図１Ｃに示すＢ段ボール紙製の２個のそれぞれ自立用脚体３０、３０を、互いに対向する２枚の縦板４、４を垂直にして重ね合わせるか又は多少間隔を以て離間させて、その縦長切欠きａ、ａを嵌合して装着した缶飲料の店内キャンペーン表示用の自立表示板である。
【００１６】
本実施の形態の自立表示板においては、Ｂ段ボール紙製の自立用脚体３０の、底板２が適度の１５×６ｃｍの長方形状であるために、設置する店内の部分的な凹凸などに、図２Ａに示すように、底板２を避けて対応することができる、またＢ段ボール紙製の自立用脚体３０の、三角形筒状に形成した底板２、斜め板３、３と縦板４、４との間の、谷折りした折り目線ｄ、ｄが角度可変であるために、設置する店内の部分的な傾斜などに、図２Ｂに示すように、三角形筒状に形成した部分を傾斜させて対応することができる、缶飲料の店内キャンペーン表示用の、美麗な印刷をしたＡ段ボール紙製の表示板体２０を、設置する店内の部分的な凹凸や傾斜などに対応して、安定して設置することができる自立表示板を得ることができた。
【００１７】
しかも、長方形状の６０×９０ｃｍの、図１Ａに示す美麗な印刷をしたＡ段ボール紙製の表示板体２０の下辺に、前述した図１Ｃに示すＢ段ボール紙製の、２個の自立用脚体３０、３０を、それぞれ２枚の縦板４、４の、Ａ段ボール紙製の表示板体２０の厚さに等しい４．８ｍｍ幅の縦長切欠きａ、ａを嵌合したことによって、表示板体２０の下辺に２個の自立用脚体３０、３０を、強固で確実に装着することができる自立表示板を得ることができた。
【００１８】
なお、本実施の形態の自立表示板においては、長方形状の段ボール紙製の表示板体２０の下辺に、段ボール紙製の２個の自立用脚体３０、３０を、それぞれ２枚の縦板４、４の縦長切欠きａ、ａを嵌合して装着したが、半円形や三角形や動物形などの、展示する商品に適した多様な寸法形状の、通常の板紙製や段ボール紙製やプラスチックボード製などの表示板体２０の下辺に、この表示板体２０に適した多様な寸法形状の、適宜の板紙製や段ボール紙製やプラスチックボード製などの２個以上の自立用脚体３０、３０、…を、それぞれ２枚の縦板４、４の縦長切欠きａ、ａを嵌合して、特に制約なく装着することができる。
【００１９】
図３は、本発明の他の実施の形態における、自立表示板の斜視図である。
また図４は、本発明の他の実施の形態における、自立表示板を傾斜面に設置した状態を示す断面説明図である。
【００２０】
本発明の他の実施の形態における、自立表示板は、前述と同様の長方形状の６０×９０ｃｍの、図３に示す美麗な印刷をしたＡ段ボール紙製の表示板体２０の下辺の２個所に、Ｂ段ボール紙製の自立用脚体３０の縦板４、４の合計厚さに等しい５．６ｍｍ幅の、長さ３ｃｍの縦長切欠きｂ、ｂを設けて、この長方形状の表示板体２０の下辺の縦長切欠きｂ、ｂに、前述した図１Ｃに示すＢ段ボール紙製の、２個の自立用脚体３０、３０を、それぞれ２枚の縦板４、４の縦長切欠きａ、ａを互いに嵌合して装着した、前述と同様の缶飲料の店内キャンペーン表示用の自立表示板である。
【００２１】
本実施の形態の自立表示板においては、長方形状のＡ段ボール紙製の表示板体２０の下辺の、２個所に設けた、Ｂ段ボール紙製の自立用脚体３０の縦板４、４の合計厚さに等しい５．６ｍｍ幅の縦長切欠きｂ、ｂに、図１Ｃに示す２個の自立用脚体３０、３０を、それぞれ２枚の縦板４、４の、Ａ段ボール紙製の表示板体２０の厚さに等しい４．８ｍｍ幅の縦長切欠きａ、ａを互いに嵌合したことによって、前述と同様の缶飲料の店内キャンペーン表示用の、美麗な印刷をしたＡ段ボール紙製の表示板体２０を、設置する店内の部分的な凹凸や傾斜などに対応して、安定して設置することができる上に、表示板体２０の下辺に２個の自立用脚体３０、３０を、より強固で確実に装着することができる自立表示板を得ることができた。
【００２２】
加えて、本実施の形態の自立表示板においては、全体が僅かに傾斜した、店内の傾斜面に自立表示板を設置する場合に、図４に示すように、長方形状の表示板体２０の下辺の一方の縦長切欠きｂに、１個の自立用脚体３０を、２枚の縦板４、４の縦長切欠きａ、ａを互いに嵌合して装着して、もう１個の自立用脚体３０を、長方形状の表示板体２０の下辺の適宜の位置に、２枚の縦板４、４の縦長切欠きａ、ａを嵌合して装着することによって、缶飲料の店内キャンペーン表示用の、美麗な印刷をしたＡ段ボール紙製の表示板体２０を、水平に設置することができる。
【００２３】
【発明の効果】
以上、実施の形態ほかに示すとおり、本発明の自立表示板においては、商品の価格表示やキャンペーン表示や特約店表示などの、多様な寸法形状の自立表示板であって、板紙製や段ボール紙製やプラスチックボード製などの、設置する場所の部分的な凹凸や傾斜などに対応して、安定して設置することができ、しかも表示板体の下辺に２個以上の自立用脚体を設け、また各自立用脚体の対向する各縦板は、その２枚を互いに重ね合わせて表示板体の下辺に嵌合するため、強固で確実に支持される自立表示板を提供することができる。
【００２４】
さらに、本発明の自立表示板においては、自立表示板を支持する自立用脚体が簡単な構成であるため、製造及び組み立てが容易で、かつ余分な材料を必要とせず、自立表示板を安価に提供できる効果がある。
【図面の簡単な説明】
【図１】本発明の実施の形態における、図１Ａは、自立表示板の斜視図であって、図１Ｂ、Ｃは、自立表示板の自立用脚体３０の展開平面図、斜視図である。
【図２】本発明の実施の形態における、図２Ａ、Ｂは、自立表示板を安定して設置した状態を示す断面説明図である。
【図３】本発明の他の実施の形態における、自立表示板の斜視図である。
【図４】本発明の他の実施の形態における、自立表示板を傾斜面に設置した状態を示す断面説明図である。
【図５】図５Ａ、Ｂは、従来の自立表示板の斜視図である。
【符号の説明】
２                …底板
３                …斜め板
４                …縦板
２０              …表示板体
３０、４０、５０  …自立用脚体
ａ、ｂ            …縦長切欠き
ｃ、ｄ            …折り目線
【図１】
0003931608.tif 000002
【図２】
0003931608.tif 000003
【図３】
0003931608.tif 000004
【図４】
0003931608.tif 000005
【図５】
0003931608.tif 000006